(57)【特許請求の範囲】
【請求項１】
第１発光面が表面側に設けられた第１照明パネル、および、第１透明スペーサーパネルを含み、前記第１照明パネルおよび前記第１透明スペーサーパネルが並んで配置されることによって全体として面状に構成された第１層と、
第２発光面が表面側に設けられた第２照明パネル、および、第２透明スペーサーパネルを含み、前記第２照明パネルおよび前記第２透明スペーサーパネルが並んで配置されることによって全体として面状に構成された第２層と、を備え、
前記第１照明パネルおよび前記第２照明パネルは、同一の構成を有しており、
前記第２層は、前記第１層の裏面側に配置され、
前記第１層および前記第２層は、前記第２照明パネルの前記第２発光面と前記第１透明スペーサーパネルとが互いに対向するとともに、前記第２照明パネルの前記第２発光面から出射された光が前記第１透明スペーサーパネルを透過するように配置され、
前記第１層の前記表面側には、前記第１照明パネルの前記第１発光面から出射された光と前記第２照明パネルの前記第２発光面から出射され前記第１透明スペーサーパネルを透過した光とを外部に取り出す第１光取出層が設けられ、
前記第２照明パネルと前記第１透明スペーサーパネルとの間には、前記第２照明パネルの前記第２発光面から出射され前記第１透明スペーサーパネルおよび前記第１光取出層を通して外部に取り出される光と前記第１照明パネルの前記第１発光面から出射され前記第１光取出層を通して外部に取り出される光との輝度差を低減する光学部材が設けられる、照明器具。
【請求項２】
前記光学部材は、前記第２層の前記表面側に設けられた第２光取出層を含み、
前記第２照明パネルの前記第２発光面から出射された光は、前記第２光取出層、前記第２光取出層と前記第１透明スペーサーパネルとの間に設けられた空気層、前記第１透明スペーサーパネル、および前記第１光取出層を通して外部に取り出され、
前記第１光取出層および前記第２光取出層は、前記第１光取出層により取り出される光の光取り出し効率に比べて前記第２光取出層により取り出される光の光取り出し効率の方が大きくなるように設けられる、
請求項１に記載の照明器具。
【請求項３】
前記光学部材は、所定の光吸収率を有し、前記第２照明パネルの前記第２発光面と前記第１透明スペーサーパネルとを互いに光学的に接続する光接続部材を含み、
前記第２照明パネルの前記第２発光面から出射された光は、前記光接続部材、前記第１透明スペーサーパネル、および前記第１光取出層を通して外部に取り出される、
請求項１に記載の照明器具。
【請求項４】
前記第１照明パネルの非発光部と、前記第２照明パネルの非発光部とは、互いに重なるように配置されている、
請求項１から３のいずれかに記載の照明器具。
【請求項５】
前記第１照明パネルおよび前記第２照明パネルは、有機ＥＬからそれぞれ構成される、請求項１から４のいずれかに記載の照明器具。
【発明の詳細な説明】
【技術分野】
【０００１】
本発明は、複数の照明パネルを備える照明器具に関する。
【背景技術】
【０００２】
照明装置における発光面積の大型化を図るためには、単一の照明パネルを用いる場合と複数の照明パネルを用いる場合とが考えられる。単一の照明パネルを用いる場合、輝度ムラ等の無い高品質な照明パネルを得る必要がある。この場合、高性能を有し且つ大型の製造装置が必要となるため、製造費用が増大する。
【０００３】
これに対して、複数の照明パネルを用いて発光面積の大型化を図る照明器具が知られている。一般的に、照明装置における発光面積の大型化を図ることは、複数の照明パネルを用いる場合の方が、単一の照明パネルを用いる場合に比べて安価且つ容易に実現することが可能である。
【０００４】
特開２０１０−１３４１６９号公報（特許文献１）には、複数の有機ＥＬ（Organic  Electroluminescence）素子を備えた表示装置に関する発明が開示されている。当該文献は、この発明によれば、複数の有機ＥＬ素子の輝度バラツキを低減することができると述べている。
【先行技術文献】
【特許文献】
【０００５】
【特許文献１】特開２０１０−１３４１６９号公報
【発明の概要】
【発明が解決しようとする課題】
【０００６】
本発明は、複数の照明パネルを用いて発光面積を大型化する場合であっても、輝度ムラの発生を抑制し、単位面積当たりの発光効率を向上させることが可能な構造を備える照明装置を提供することを目的とする。
【課題を解決するための手段】
【０００７】
本発明に基づく照明器具は、第１発光面が表面側に設けられた第１照明パネル、および、第１透明スペーサーパネルを含み、上記第１照明パネルおよび上記第１透明スペーサーパネルが並んで配置されることによって全体として面状に構成された第１層と、第２発光面が表面側に設けられた第２照明パネル、および、第２透明スペーサーパネルを含み、上記第２照明パネルおよび上記第２透明スペーサーパネルが並んで配置されることによって全体として面状に構成された第２層と、を備え、上記第１照明パネルおよび上記第２照明パネルは、同一の構成を有しており、上記第２層は、上記第１層の裏面側に配置され、上記第１層および上記第２層は、上記第２照明パネルの上記第２発光面と上記第１透明スペーサーパネルとが互いに対向するとともに、上記第２照明パネルの上記第２発光面から出射された光が上記第１透明スペーサーパネルを透過するように配置され、上記第１層の上記表面側には、上記第１照明パネルの上記第１発光面から出射された光と上記第２照明パネルの上記第２発光面から出射され上記第１透明スペーサーパネルを透過した光とを外部に取り出す第１光取出層が設けられ、上記第２照明パネルと上記第１透明スペーサーパネルとの間には、上記第２照明パネルの上記第２発光面から出射され上記第１透明スペーサーパネルおよび上記第１光取出層を通して外部に取り出される光と上記第１照明パネルの上記第１発光面から出射され上記第１光取出層を通して外部に取り出される光との輝度差を低減する光学部材が設けられる。
【０００８】
好ましくは、上記光学部材は、上記第２層の上記表面側に設けられた第２光取出層を含み、上記第２照明パネルの上記第２発光面から出射された光は、上記第２光取出層、上記第２光取出層と上記第１透明スペーサーパネルとの間に設けられた空気層、上記第１透明スペーサーパネル、および上記第１光取出層を通して外部に取り出され、上記第１光取出層および上記第２光取出層は、上記第１光取出層により取り出される光の光取り出し効率に比べて上記第２光取出層により取り出される光の光取り出し効率の方が大きくなるように設けられる。
【０００９】
好ましくは、上記光学部材は、所定の光吸収率を有し、上記第２照明パネルの上記第２発光面と上記第１透明スペーサーパネルとを互いに光学的に接続する光接続部材を含み、上記第２照明パネルの上記第２発光面から出射された光は、上記光接続部材、上記第１透明スペーサーパネル、および上記第１光取出層を通して外部に取り出される。
【００１０】
好ましくは、上記第１照明パネルの非発光部と、上記第２照明パネルの非発光部とは、互いに重なるように配置されている。好ましくは、上記第１照明パネルおよび上記第２照明パネルは、有機ＥＬからそれぞれ構成される。
【発明の効果】
【００１１】
本発明によれば、複数の照明パネルを用いて発光面積を大型化する場合であっても、輝度ムラの発生を抑制し、単位面積当たりの発光効率を向上させることが可能な構造を備える照明装置を得ることができる。
【図面の簡単な説明】
【００１２】
【図１】実施の形態１における照明装置を示す平面図である。
【図２】図１中におけるＩＩ−ＩＩ線に沿った矢視断面図である。
【図３】実施の形態１における照明装置に用いられる照明パネルを示す平面図である。
【図４】図３中におけるＩＶ−ＩＶ線に沿った矢視断面図である。
【図５】実施の形態１における照明装置が駆動されている際の様子を示す断面図である。
【図６】実施の形態１における照明装置に対する比較例としての照明装置を示す断面図である。
【図７】実施の形態２における照明装置を示す断面図である。
【図８】実施の形態２における照明装置が駆動されている際の様子を示す断面図である。
【発明を実施するための形態】
【００１３】
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００１４】
［実施の形態１］
（照明装置１００）
図１および図２を参照して、本実施の形態における照明装置１００の全体構成について説明する。図１は、照明装置１００を示す平面図である。図２は、図１中におけるＩＩ−ＩＩ線に沿った矢視断面図である。図１および図２に示すように、照明装置１００は、第１層１０（図２参照）と、第１層１０の裏面側に配置された第２層２０（図２参照）とを備える。
【００１５】
（第１層１０）
図２に示すように、第１層１０は、照明パネル１０Ａ，１０Ｂ，１０Ｃ、透明スペーサーパネル３１Ａ，３１Ｂ、基板４１、および、接続配線５１，５１Ａ，５１Ｂ，５１Ｃを含む。詳細は後述されるが、第１層１０の表面側には、光取出層４３（第１光取出層）が設けられる。光取出層４３は、照明パネル１０Ａ，１０Ｂ，１０Ｃから出射され基板４１を透過した光と、第２層２０の照明パネル２０Ａ，２０Ｂから出射され透明スペーサーパネル３１Ａ，３１Ｂおよび基板４１等を透過した光とを、照明装置１００の外部に取り出す。
【００１６】
本実施の形態における照明パネル１０Ａ，１０Ｂ，１０Ｃは、有機ＥＬ（Organic  Electroluminescence）からそれぞれ構成される。照明パネル１０Ａ，１０Ｂ，１０Ｃは、発光面１１Ａ，１１Ｂ，１１Ｃが各々の表面側に設けられるとともに、有機層１４が各々の内部に設けられる。照明パネル１０Ａ，１０Ｂ，１０Ｃの更なる詳細な構造については、図３および図４を参照して後述する。
【００１７】
基板４１は、板状に形成される。基板４１は、アクリルまたはガラス等の透明性を有する部材から構成される。照明パネル１０Ａ，１０Ｂ，１０Ｃは、略同一に構成され、基板４１上に載置される。照明パネル１０Ａ，１０Ｂ，１０Ｃは、基板４１上において所定の間隔を空けて互いに平行な位置関係となるように配置される。
【００１８】
透明スペーサーパネル３１Ａ，３１Ｂは、板状に形成される。透明スペーサーパネル３１Ａ，３１Ｂも、アクリルまたはガラス等の透明性を有する部材から構成される。透明スペーサーパネル３１Ａ，３１Ｂは、略同一の形状を有し、基板４１上に載置される。照明パネル１０Ａ（第１照明パネル）および照明パネル１０Ｂの間に、透明スペーサーパネル３１Ａ（第１透明スペーサーパネル）が設けられる。照明パネル１０Ｂおよび照明パネル１０Ｃの間に、透明スペーサーパネル３１Ｂが設けられる。照明パネルおよび透明スペーサーパネルとしては、基板４１上において交互に並んだ状態で平面状に配列されている。
【００１９】
照明パネル１０Ａ，１０Ｂ，１０Ｃおよび透明スペーサーパネル３１Ａ，３１Ｂは、並んで配置されることによって全体として面状に構成された状態で、高い透明性を有する接着剤テープ（ＯＣＡ：Optical  Clear  Adhesive  Tape）（図示せず）などを用いて基板４１上に貼付および固定される。基板４１の表面のうちの照明パネル１０Ａ，１０Ｂ，１０Ｃおよび透明スペーサーパネル３１Ａ，３１Ｂが載置される側とは反対側の表面に、所定の光取り出し効率を有する光取出層４３が設けられる。
【００２０】
光取出層４３は、基板４１を透過した光を所定の光取り出し効率で外部に取り出すために設けられる。本実施の形態の光取出層４３は、微粒子を含有するシート状の部材が基板４１の表面に貼着されることによって構成されている。光取出層４３の具体例としては、たとえば、株式会社きもと製の拡散フィルム「ライトアップ（登録商標）ＮＳＨ」または「ライトアップ（登録商標）ＬＳＥ」を用いることができる。光取出層４３は、基板４１の表面そのものに凹凸加工が施されることによって、基板４１の一部として構成されていてもよい。
【００２１】
照明パネル１０Ａ，１０Ｂ，１０Ｃの各々は、各照明パネルに給電するための陽極用の電極部１８と陰極用の電極部１９とを有する。電極部１８は、照明パネル１０Ａ，１０Ｂ，１０Ｃの各々における一方の外周部に形成され、電極部１９は、照明パネル１０Ａ，１０Ｂ，１０Ｃの各々における他方の外周部に形成される。
【００２２】
接続配線５１，５１Ａ，５１Ｂ，５１Ｃは、銅線などから構成される。接続配線５１は、外部の電源回路（図示せず）等と照明パネル１０Ａの電極部１８とを互いに電気的に接続する。接続配線５１Ａは、照明パネル１０Ａの電極部１９と照明パネル１０Ｂの電極部１８とを互いに電気的に接続する。接続配線５１Ｂは、照明パネル１０Ｂの電極部１９と照明パネル１０Ｃの電極部１８とを互いに電気的に接続する。接続配線５１Ｃは、外部の電源回路（図示せず）等と照明パネル１０Ｃの電極部１９とを互いに電気的に接続する。各接続配線と各電極部とは、銀ペーストなどを用いて互いに固定される。
【００２３】
照明パネル１０Ａ，１０Ｂ，１０Ｃは、接続配線５１，５１Ａ，５１Ｂ，５１Ｃを通して互いに直列接続される。接続配線５１Ａは、透明スペーサーパネル３１Ａ上に配置され、必要に応じて透明スペーサーパネル３１Ａ上に接着などによって固定されるとよい。接続配線５１Ｂも、透明スペーサーパネル３１Ｂ上に配置され、必要に応じて透明スペーサーパネル３１Ｂ上に接着などによって固定されるとよい。
【００２４】
（第２層２０）
図１および図２に示すように、第２層２０は、照明パネル２０Ａ，２０Ｂ、透明スペーサーパネル３２Ａ，３２Ｂ，３２Ｃ、基板４２、および、接続配線５２Ａ，５２Ｂ，５２Ｃを含む。第２層２０は、第１層１０の裏面側（発光面１１Ａ，１１Ｂ，１１Ｃとは反対側）に配置される。詳細は後述されるが、第２層２０の表面側には、照明パネル２０Ａ，２０Ｂから出射された光を第１層１０側に向かって取り出す光取出層４４（第２光取出層）が設けられる。
【００２５】
照明パネル２０Ａ，２０Ｂも、有機ＥＬからそれぞれ構成される。照明パネル２０Ａ，２０Ｂは、発光面２１Ａ，２１Ｂが各々の表面側に設けられるとともに、有機層２４が各々の内部に設けられる。照明パネル２０Ａ，２０Ｂの更なる詳細な構造については、図３および図４を参照して後述する。
【００２６】
基板４２は、板状に形成される。基板４２は、アクリルまたはガラス等の透明性を有する部材から構成される。照明パネル２０Ａ，２０Ｂは、略同一に構成され、基板４２上に載置される。照明パネル２０Ａ，２０Ｂは、基板４２上において所定の間隔を空けて互いに平行な位置関係となるように配置される。
【００２７】
透明スペーサーパネル３２Ａ，３２Ｂ，３２Ｃは、板状に形成される。透明スペーサーパネル３２Ａ，３２Ｂ，３２Ｃも、アクリルまたはガラス等の透明性を有する部材から構成される。透明スペーサーパネル３２Ａ，３２Ｂ，３２Ｃは、略同一の形状を有し、基板４２上に載置される。透明スペーサーパネル３２Ａ（第２透明スペーサーパネル）および透明スペーサーパネル３２Ｂの間に、照明パネル２０Ａ（第２照明パネル）が設けられる。透明スペーサーパネル３２Ｂおよび透明スペーサーパネル３２Ｃの間に、照明パネル２０Ｂが設けられる。照明パネルおよび透明スペーサーパネルとしては、基板４２上において交互に並んだ状態で平面状に配列されている。
【００２８】
照明パネル２０Ａ，２０Ｂおよび透明スペーサーパネル３２Ａ，３２Ｂ，３２Ｃは、並んで配置されることによって全体として面状に構成された状態で、高い透明性を有する接着剤テープ（ＯＣＡ）（図示せず）などを用いて基板４２上に貼付および固定される。基板４２の表面のうちの照明パネル２０Ａ，２０Ｂおよび透明スペーサーパネル３２Ａ，３２Ｂ，３２Ｃが載置される側とは反対側の表面に、所定の光取り出し効率を有する光取出層４４が設けられる。
【００２９】
光取出層４４は、基板４２を透過した光を所定の光取り出し効率で第１層１０側に向かって取り出すために設けられる。第１層１０の光取出層４３および第２層２０の光取出層４４は、光取出層４３により取り出される光の光取り出し効率に比べて光取出層４４により取り出される光の光取り出し効率の方が大きくなるように設けられている。
【００３０】
本実施の形態の光取出層４４は、微粒子を含有するシート状の部材が基板４２の表面に貼着されることによって構成されている。光取出層４４の具体例としては、たとえば、株式会社きもと製の拡散フィルム「ライトアップ（登録商標）ＮＳＨ」または「ライトアップ（登録商標）ＬＳＥ」を用いることができる。光取出層４４としては、基板４２の表面そのものに凹凸加工が施され、基板４２の一部として構成されていてもよい。
【００３１】
照明パネル２０Ａ，２０Ｂの各々は、各照明パネルに給電するための陽極用の電極部２８と陰極用の電極部２９とを有する。電極部２８は、照明パネル２０Ａ，２０Ｂの各々における一方の外周部に形成され、電極部２９は、照明パネル２０Ａ，２０Ｂの各々における他方の外周部に形成される。
【００３２】
接続配線５２Ａ，５２Ｂ，５２Ｃは、銅線などから構成される。接続配線５２Ａは、外部の電源回路（図示せず）等と照明パネル２０Ａの電極部２８とを互いに電気的に接続する。接続配線５２Ｂは、照明パネル２０Ａの電極部２９と照明パネル２０Ｂの電極部２８とを互いに電気的に接続する。接続配線５２Ｃは、外部の電源回路（図示せず）等と照明パネル２０Ｂの電極部２９とを互いに電気的に接続する。各接続配線と各電極部とは、銀ペーストなどを用いて互いに固定される。
【００３３】
照明パネル２０Ａ，２０Ｂは、接続配線５２Ａ，５２Ｂ，５２Ｃを通して互いに直列接続される。接続配線５２Ａは、透明スペーサーパネル３２Ａ上に配置され、必要に応じて透明スペーサーパネル３２Ａ上に接着などによって固定されるとよい。接続配線５２Ｂも、透明スペーサーパネル３２Ｂ上に配置され、必要に応じて透明スペーサーパネル３２Ｂ上に接着などによって固定されるとよい。接続配線５２Ｃも、透明スペーサーパネル３２Ｃ上に配置され、必要に応じて透明スペーサーパネル３２Ｃ上に接着などによって固定されるとよい。
【００３４】
（照明パネル１０Ａ，１０Ｂ，１０Ｃ）
図３および図４を参照して、照明パネル１０Ａ，１０Ｂ，１０Ｃについて説明する。照明パネル１０Ｂ，１０Ｃは、照明パネル１０Ａと同一に構成されるため、ここでは照明パネル１０Ａについてのみ説明する。図３は、照明パネル１０Ａを示す平面図である。図４は、図３中におけるＩＶ−ＩＶ線に沿った矢視断面図である。図３および図４において、括弧書きで示される参照符号については、照明パネル２０Ａに対応するものであり、詳細は後述する。
【００３５】
図３および図４に示すように、照明パネル１０Ａは、有機ＥＬを含む発光手段である。照明パネル１０Ａは、透明基板１２（カバー層）、陽極１３、有機層１４、陰極１５、封止部材１６、絶縁層１７、および、発光面１１Ａ（第１発光面）を含む。陽極１３、有機層１４、および陰極１５は、透明基板１２の表面に順次積層される。
【００３６】
透明基板１２は、たとえば各種のガラス基板から構成される。透明基板１２を構成する部材としては、ＰＥＴ（Polyethylene  Terephthalate）またはポリカーボネイト等のフィルム基板が用いられてもよい。発光面１１Ａは、透明基板１２の表面に形成される。
【００３７】
陽極１３は、透明性を有する導電膜である。陽極１３を形成するためには、スパッタリング法等によって、ＩＴＯ（Indium  Tin  Oxide：インジウム錫酸化物）等が透明基板１２上に成膜される。フォトリソグラフィ法等によりＩＴＯ膜が所定の形状にパターニングされることによって、陽極１３が形成される。本実施の形態における陽極１３は、電極部１８および電極部１９を形成するために、パターニングによって２つの領域に分割されている。
【００３８】
有機層１４（発光部）は、電力を供給されることによって光（可視光）を生成することができる。有機層１４は、単層の発光層から構成されていてもよく、正孔輸送層、発光層、正孔阻止層、および電子輸送層などが順次積層されることによって構成されていてもよい。
【００３９】
陰極１５は、たとえばアルミニウム（ＡＬ）である。陰極１５は、真空蒸着法等によって有機層１４を覆うように形成される。陰極１５を所定の形状にパターニングするために、真空蒸着の際にはマスクが用いられるとよい。
【００４０】
本実施の形態においては、陰極１５と陽極１３とが短絡しないように、陰極１５と電極部１８側の陽極１３との間に絶縁層１７が設けられる。陰極１５の絶縁層１７が設けられる側とは反対側の部分は、電極部１９側の陽極１３に接続される。絶縁層１７は、たとえばスパッタリング法を用いてＳｉＯ２などが成膜された後、フォトリソグラフィ法等を用いて陽極１３と陰極１５とを互いに絶縁する箇所を覆うように所望のパターンに形成される。
【００４１】
封止部材１６は、絶縁性を有する樹脂またはガラス基板などから構成される。封止部材１６は、有機層１４を水分等から保護するために形成される。封止部材１６は、陽極１３、有機層１４、および陰極１５（照明パネル１０Ａの内部に設けられる部材）の略全体を透明基板１２上に封止する。陽極１３の一部は、電気的な接続のために、封止部材１６から露出している。
【００４２】
陽極１３の封止部材１６から露出している（図４左側の）部分は、電極部１８を構成する。電極部１８と陽極１３とは互いに同じ材料で構成される。電極部１８は、照明パネル１０Ａの外周部に位置する。陽極１３の封止部材１６から露出している（図４右側の）部分は、電極部１９を構成する。電極部１９と陽極１３とは互いに同じ材料で構成される。電極部１９も、照明パネル１０Ａの外周部に位置する。電極部１８および電極部１９は、有機層１４を挟んで相互に反対側に位置している。
【００４３】
以上のように構成される照明パネル１０Ａにおいては、有機層１４が形成されている領域に対応して発光部ＲＲが形成され、発光部ＲＲの電極部１８側に非発光部Ｒ１が形成され、そして、発光部ＲＲの電極部１９側に非発光部Ｒ２が形成される。
【００４４】
（照明パネル２０Ａ，２０Ｂ）
図３および図４を参照して、照明パネル２０Ａ，２０Ｂについて説明する。本実施の形態における照明パネル２０Ａ，２０Ｂは、照明パネル１０Ａと同一に構成される。ここでは照明パネル２０Ａについてのみ説明する。
【００４５】
図３および図４に示すように、照明パネル２０Ａは、有機ＥＬを含む発光手段である。照明パネル２０Ａは、透明基板２２（カバー層）、陽極２３、有機層２４、陰極２５、封止部材２６、絶縁層２７、および、発光面２１Ａ（第２発光面）を含む。陽極２３、有機層２４、および陰極２５は、透明基板２２の表面に順次積層される。
【００４６】
透明基板２２は、たとえば各種のガラス基板から構成される。透明基板２２を構成する部材としては、ＰＥＴ（Polyethylene  Terephthalate）またはポリカーボネイト等のフィルム基板が用いられてもよい。発光面２１Ａは、透明基板２２の表面に形成される。
【００４７】
陽極２３は、透明性を有する導電膜である。陽極２３を形成するためには、スパッタリング法等によって、ＩＴＯ（Indium  Tin  Oxide：インジウム錫酸化物）等が透明基板２２上に成膜される。フォトリソグラフィ法等によりＩＴＯ膜が所定の形状にパターニングされることによって、陽極２３が形成される。本実施の形態における陽極２３は、電極部２８および電極部２９を形成するために、パターニングによって２つの領域に分割されている。
【００４８】
有機層２４（発光部）は、電力を供給されることによって光（可視光）を生成することができる。有機層２４は、単層の発光層から構成されていてもよく、正孔輸送層、発光層、正孔阻止層、および電子輸送層などが順次積層されることによって構成されていてもよい。
【００４９】
陰極２５は、たとえばアルミニウム（ＡＬ）である。陰極２５は、真空蒸着法等によって有機層２４を覆うように形成される。陰極２５を所定の形状にパターニングするために、真空蒸着の際にはマスクが用いられるとよい。
【００５０】
本実施の形態においては、陰極２５と陽極２３とが短絡しないように、陰極２５と電極部２８側の陽極２３との間に絶縁層２７が設けられる。陰極２５の絶縁層２７が設けられる側とは反対側の部分は、電極部２９側の陽極２３に接続される。絶縁層２７は、たとえばスパッタリング法を用いてＳｉＯ２などが成膜された後、フォトリソグラフィ法等を用いて陽極２３と陰極２５とを互いに絶縁する箇所を覆うように所望のパターンに形成される。
【００５１】
封止部材２６は、絶縁性を有する樹脂またはガラス基板などから構成される。封止部材２６は、有機層２４を水分等から保護するために形成される。封止部材２６は、陽極２３、有機層２４、および陰極２５（照明パネル２０Ａの内部に設けられる部材）の略全体を透明基板２２上に封止する。陽極２３の一部は、電気的な接続のために、封止部材２６から露出している。
【００５２】
陽極２３の封止部材２６から露出している（図４左側の）部分は、電極部２８を構成する。電極部２８と陽極２３とは互いに同じ材料で構成される。電極部２８は、照明パネル２０Ａの外周部に位置する。陽極２３の封止部材２６から露出している（図４右側の）部分は、電極部２９を構成する。電極部２９と陽極２３とは互いに同じ材料で構成される。電極部２９も、照明パネル２０Ａの外周部に位置する。電極部２８および電極部２９は、有機層２４を挟んで相互に反対側に位置している。
【００５３】
以上のように構成される照明パネル２０Ａにおいては、有機層２４が形成されている領域に対応して発光部ＲＲが形成され、発光部ＲＲの電極部２８側に非発光部Ｒ１が形成され、そして、発光部ＲＲの電極部２９側に非発光部Ｒ２が形成される。
【００５４】
（第１層１０および第２層２０）
図２を再び参照して、第１層１０および第２層２０は、透明スペーサーパネル３１Ａと照明パネル２０Ａの発光面２１Ａとが互いに対向するとともに、照明パネル２０Ａの発光面２１Ａから出射された光が透明スペーサーパネル３１Ａを透過するように配置される。第２層２０の光取出層４４と透明スペーサーパネル３１Ａとの間には、空気層４６が設けられる。照明パネル２０Ａの発光面２１Ａから出射された光は、基板４２、光取出層４４、空気層４６、透明スペーサーパネル３１Ａ、基板４１、および、光取出層４３を通して外部に取り出される。
【００５５】
さらに、第１層１０および第２層２０は、透明スペーサーパネル３１Ｂと照明パネル２０Ｂの発光面２１Ｂとが互いに対向するとともに、照明パネル２０Ｂの発光面２１Ｂから出射された光が透明スペーサーパネル３１Ｂを透過するように配置される。第２層２０の光取出層４４と透明スペーサーパネル３１Ｂとの間にも、空気層４６が設けられる。照明パネル２０Ｂの発光面２１Ｂから出射された光は、基板４２、光取出層４４、空気層４６、透明スペーサーパネル３１Ｂ、基板４１、および、光取出層４３を通して外部に取り出される。
【００５６】
図５は、照明装置１００が駆動されている際の様子を示す断面図である。上述のとおり、照明装置１００においては、第１層１０の上に第２層２０が積層されている。照明パネル１０Ａの有機層１４において生成された光は、発光面１１Ａ（第１発光面）、基板４１、および光取出層４３を通して外部に取り出される（図５中の白抜き矢印参照）。照明パネル１０Ｂの有機層１４において生成された光も、発光面１１Ｂ、基板４１、および光取出層４３を通して外部に取り出される（図５中の白抜き矢印参照）。
【００５７】
照明パネル２０Ａの有機層２４において生成された光は、発光面２１Ａ（第２発光面）、基板４２、光取出層４４、空気層４６、透明スペーサーパネル３１Ａ、基板４１、および光取出層４３を通して外部に取り出される（図５中の白抜き矢印参照）。これらについては、図２に示す照明パネル１０Ａ，１０Ｂ，１０Ｃ，２０Ａ，２０Ｂの各々において同様である。
【００５８】
ここで、照明装置１００においては、照明パネル１０Ａにおける非発光部Ｒ２と照明パネル２０Ａにおける非発光部Ｒ１とが互いに（投影視において）重なるように配置されている。同様に、照明パネル１０Ｂにおける非発光部Ｒ１と照明パネル２０Ａにおける非発光部Ｒ２とが互いに（投影視において）重なるように配置されている。これらの関係は、第１層１０および第２層２０の全体（照明パネル１０Ａ，１０Ｂ，１０Ｃ，２０Ａ，２０Ｂの各々の非発光部Ｒ１，Ｒ２）を通して共通している。
【００５９】
照明装置１００においては、照明装置１００を最終的に光が取り出される面側から見た場合（図５の下方から照明装置１００を見上げた場合）、発光部ＲＲ（図４参照）が大きく確保されるとともに、非発光部Ｒ１，Ｒ２の面積（投影面積）が最小となるように構成されている。
【００６０】
図６は、実施の形態１における照明装置１００に対する比較例としての照明装置１００Ｚを示す断面図である。照明装置１００Ｚにおいては、照明パネル１０Ａ，１０Ｂ，１０Ｃが基板４１上において隣接して並んで配列されている。照明装置１００Ｚは、実施の形態１における照明装置１００（図２参照）とは異なり、第１層１０および第２層２０からなる２層構造を有していない。
【００６１】
照明装置１００Ｚにおいては、非発光部Ｒ１および非発光部Ｒ２同士が同一面内において互いに隣り合っている。非発光部Ｒ１および非発光部Ｒ２によって形成される非発光部としての面積（投影面積）は、照明装置１００Ｚの方が、照明装置１００（図５参照）に比べて大きい。照明装置１００Ｚの構造においては、非発光部の面積が広く設けられているため、単位面積当たりの発光効率が低く、輝度ムラも発生しやすい。
【００６２】
これに対して、照明装置１００（図５参照）においては、第１層１０および第２層２０からなる２層構造が効果的に活用されることによって、非発光部Ｒ１，Ｒ２の面積が最小となるように構成され、単位面積当たりの高い発光効率が得られているとともに、輝度ムラの発生も抑制されている。
【００６３】
本実施の形態における照明装置１００によれば、複数の照明パネルを用いて発光面積を大型化する場合であっても、各照明パネル同士が透明スペーサーパネルによって締結されているため安定した強度が得られるとともに、第１層１０における非発光部と第２層２０における非発光部同士が互いに（投影視において）重なるように配置されることによって、単位面積当たりの高い発光効率が得られているとともに、輝度ムラの発生を抑制することが可能となっている。
【００６４】
照明パネル１０Ａ，１０Ｂ，１０Ｃおよび照明パネル２０Ａ，２０Ｂを同一の構成とするとともに、透明スペーサーパネル３１Ａ，３１Ｂ，３２Ａ，３２Ｂ，３２Ｃを同一の構成とすることによって、製造費用の低減を図ることもできる。
【００６５】
上述のとおり、第１層１０の表面側には光取出層４３が設けられ、第２層２０の表面側には光取出層４４が設けられる。光取出層４３は、各照明パネルで生成された光が基板４１を透過する際に、光取出層４３が設けられていない場合には基板４１の出射面における全反射により取り出されない光成分を、自身が有する所定の表面形状（凹凸パターン）によって取り出すことを可能とするものである。
【００６６】
光取出層４４も同様に、照明パネル２０Ａ，２０Ｂで生成された光が基板４２を透過する際に、光取出層４４が設けられていない場合には基板４２の出射面における全反射により取り出されない光成分を、自身が有する所定の表面形状（凹凸パターン）によって取り出すことを可能とするものである。
【００６７】
本実施の形態の照明装置１００に用いられる光取出層４３および光取出層４４は、光取出層４３により取り出される光の光取り出し効率に比べて、光取出層４４により取り出される光の光取り出し効率の方が大きくなるように設けられている。光の光取り出し効率は、光取出層４３，４４の表面形状（凹凸パターン）を変化させたり、光取出層４３，４４に微粒子が含有される場合、その微粒子の含有量を変化させたりすることで調整することができる。
【００６８】
光取出層４３は、照明パネル１０Ａ，１０Ｂ，１０Ｃの各発光面１１Ａ，１１Ｂ，１１Ｃから出射された光と、照明パネル２０Ａ，２０Ｂの各発光面２１Ａ，２１Ｂから出射され透明スペーサーパネル３１Ａ，３１Ｂをそれぞれ透過した光とを、所定の光取り出し効率でそれぞれ外部に取り出す。
【００６９】
一方、光取出層４４としては、照明パネル２０Ａ，２０Ｂの各発光面２１Ａ，２１Ｂで生成された光を第１層１０側にできるだけ多く取り出せるように、光取出層４３に比べて十分に高い光取り出し効率を有するものが用いられる。
【００７０】
当該構成によれば、光取出層４４は、光取出層４３との光取り出し効率の差を利用して、照明パネル２０Ａ，２０Ｂの各発光面２１Ａ，２１Ｂから出射され透明スペーサーパネル３１Ａ，３１Ｂおよび光取出層４３を通して外部に取り出される光と、照明パネル１０Ａ，１０Ｂ，１０Ｃの各発光面１１Ａ，１１Ｂ，１１Ｃから出射され光取出層４３を通して外部に取り出される光との輝度差を低減することが可能となる。したがって本実施の形態における光取出層４４は、本発明における光学部材として機能することができる。
【００７１】
光取出層４３の光の光取り出し効率および光取出層４４の光の光取り出し効率は、輝度ムラの発生が効果的に抑制され、より均一な発光を実現可能なように最適化されるとよい。一例としては、光取出層４３の光の光取り出し効率は６５％程度であり、この場合、光取出層４４の光の光取り出し効率は７０％程度に設定されるとよい。
【００７２】
光取出層４３が光拡散性を有する部材から構成される場合、光取出層４３の表面形状による光の拡散効果を得ることもできる。照明装置１００が発光する際に生じる発光部と非発光部との輝度差を軽減し、照明上の照度ムラをより一層目立たなくすることができる。
【００７３】
以上説明したように、本実施の形態の照明装置１００によれば、各照明パネル１０Ａ，１０Ｂ，１０Ｃ，２０Ａ，２０Ｂが同一に構成され、且つ、これらが定電流で駆動される場合（同一の駆動条件で駆動される場合）であっても、光取出層４３および光取出層４４（光学部材）の作用によって、出射面としての光取出層４３における輝度ムラの発生を効果的に緩和させることができる。
【００７４】
輝度ムラの発生を抑えてより均一な発光を実現するためには、上記の構成に加えて、必要に応じて、第２層２０から出射される光の輝度を第１層１０から出射される光の輝度よりも大きくするとよい。また、必要に応じて、各照明パネルに供給する電流値を制御してもよい。
【００７５】
［実施の形態２］
図７および図８を参照して、本実施の形態における照明装置２００について説明する。照明装置２００においては、上述の実施の形態１における光取出層４４（図２参照）は用いられない。照明パネル２０Ａ（基板４２）と透明スペーサーパネル３１Ａとの間には、光学部材としての光接続部材４７が設けられる。照明パネル２０Ｂ（基板４２）と透明スペーサーパネル３１Ｂとの間にも、光学部材としての光接続部材４７が設けられる。
【００７６】
光接続部材４７は、所定の光吸収率を有する部材から構成される。光接続部材４７としては、透明性を有する樹脂、透明性を有するゴム状の部材、または、透明性を有する光学接着剤などを用いることができる。照明パネル２０Ａ（基板４２）と透明スペーサーパネル３１Ａとの間の光接続部材４７は、照明パネル２０Ａ（基板４２）と透明スペーサーパネル３１Ａとを、（空気などを介さずに）互いに光学的に接続する。照明パネル２０Ｂ（基板４２）と透明スペーサーパネル３１Ｂとの間の光接続部材４７は、照明パネル２０Ｂ（基板４２）と透明スペーサーパネル３１Ｂとを、（空気などを介さずに）互いに光学的に接続する。
【００７７】
光取出層４３は、照明パネル１０Ａ，１０Ｂ，１０Ｃの各発光面１１Ａ，１１Ｂ，１１Ｃから出射された光と、照明パネル２０Ａ，２０Ｂの各発光面２１Ａ，２１Ｂから出射され透明スペーサーパネル３１Ａ，３１Ｂをそれぞれ透過した光とを、所定の光取り出し効率でそれぞれ外部に取り出す。
【００７８】
具体的には、照明パネル１０Ａの発光面１１Ａから出射された光は、基板４１、および、光取出層４３を通して外部に取り出される（図８参照）。照明パネル１０Ｂの発光面１１Ｂから出射された光は、基板４１、および、光取出層４３を通して外部に取り出される（図８参照）。照明パネル１０Ｃ（図７参照）の発光面１１Ｃから出射された光は、基板４１、および、光取出層４３を通して外部に取り出される。
【００７９】
一方、照明パネル２０Ａの発光面２１Ａから出射された光は、基板４２、光接続部材４７、透明スペーサーパネル３１Ａ、基板４１、および、光取出層４３を通して外部に取り出される（図８参照）。照明パネル２０Ｂ（図７参照）の発光面２１Ｂから出射された光は、基板４２、光接続部材４７、透明スペーサーパネル３１Ｂ、基板４１、および、光取出層４３を通して外部に取り出される。
【００８０】
照明パネル２０Ａ，２０Ｂからの光が光接続部材４７を通過する際、その光の一部は、光接続部材４７によって吸収される。また、光接続部材４７は、基板４２の中で全反射していて本来なら取り出されずに図中の横方向に伝搬されている光を基板４２の外に取り出す作用を有する。すなわち、照明パネル２０Ａに対応して設けられている光接続部材４７は、照明パネル２０Ａの発光面２１Ａから出射された光だけでなく、照明パネル２０Ｂの発光面２１Ｂから出射され、基板４２の中を伝搬されてきた光をも出射方向に向かわせる。
【００８１】
仮に光接続部材４７が光を全く吸収しないとすると、前述したように、基板４２の中を横方向に伝搬されている光が増加する分だけ、第２層２０からの光を第１層１０からの光に比べて光取出層４３によって多く外部に取り出すことになる。したがって、光接続部材４７が光を全く吸収しないことは、輝度ムラが発生する原因となる。
【００８２】
これに対して、本実施の形態における照明装置２００においては、第２層２０からの光が光接続部材４７を通過する際、その光の一部は光接続部材４７によって吸収される。このため、第２層２０からの光が光取出層４３から取り出される際には、その取り出された光の輝度は、第１層１０からの光が光取出層４３から取り出されるときと同等の輝度とすることができる。なお、光接続部材４７によって出射方向に向かう光の増加分は１０％程度であると考えられるため、光接続部材４７の光の吸収率は１０％程度とすればよい。
【００８３】
したがって、光接続部材４７は、照明パネル２０Ａ，２０Ｂの各発光面２１Ａ，２１Ｂから出射され透明スペーサーパネル３１Ａ，３１Ｂおよび光取出層４３を通して外部に取り出される光と、照明パネル１０Ａ，１０Ｂ，１０Ｃの各発光面１１Ａ，１１Ｂ，１１Ｃから出射され光取出層４３を通して外部に取り出される光との輝度差を低減することが可能となる。光接続部材４７は、本発明における光学部材として機能することができる。
【００８４】
一例としては、光取出層４３の光の光取り出し効率は７０％程度であり、この場合、光接続部材４７の光の吸収率は１０％程度に設定されるとよい。
【００８５】
以上、本発明に基づいた各実施の形態について説明したが、今回開示された各実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８６】
１０  第１層、１０Ａ  照明パネル（第１照明パネル）、１０Ｂ，１０Ｃ，２０Ｂ  照明パネル、１１Ａ  発光面（第１発光面）、１１Ｂ，１１Ｃ，２１Ｂ  発光面、１２，２２  透明基板、１３，２３  陽極、１４，２４  有機層、１５，２５  陰極、１６，２６  封止部材、１７，２７  絶縁層、１８，１９，２８，２９  電極部、２０  第２層、２０Ａ  照明パネル（第２照明パネル）、２１Ａ  発光面（第２発光面）、３１Ａ  透明スペーサーパネル（第１透明スペーサーパネル）、３１Ｂ，３２Ｂ，３２Ｃ  透明スペーサーパネル、３２Ａ  透明スペーサーパネル（第２透明スペーサーパネル）、４１，４２  基板、４３  光取出層（第１光取出層）、４４  光取出層（第２光取出層）、４６  空気層、４７  光接続部材、５１，５１Ａ，５１Ｂ，５１Ｃ，５２Ａ，５２Ｂ，５２Ｃ  接続配線、１００，１００Ｚ，２００  照明装置、Ｒ１，Ｒ２  非発光部、ＲＲ  発光部。
【図１】
0005761060.tif 000002
【図２】
0005761060.tif 000003
【図３】
0005761060.tif 000004
【図４】
0005761060.tif 000005
【図５】
0005761060.tif 000006
【図６】
0005761060.tif 000007
【図７】
0005761060.tif 000008
【図８】
0005761060.tif 000009